(57)【特許請求の範囲】
【請求項１】
棚板下面に取付けられて棚下を照明する棚下用照明器具において、前記棚板の最前端に配置された光源と、前記光源の後方に配置されて前記棚板の最前端の鉛直下方から後方斜め下に向けて配光するように凹曲面に形成された反射板とを備えた棚下用照明器具。
【請求項２】
棚板下面に取付けられて棚下を照明する棚下用照明器具において、前記棚板の最前端に配置された光源と、前記光源の下方に配置され前記光源の光を透過して前記棚板の最前端の鉛直下方から後方斜め下に向けて配光する透光性のパネルとを備えた棚下用照明器具。
【請求項３】
棚板下面に取付けられて棚下を照明する棚下用照明器具において、前記棚板の前端側に配置された光源と、前記光源よりも前記棚板の前端側に配置された取付部とを備え、前記取付部に選択的に取付けられて前記棚板の最前端の鉛直下方から後方斜め下に向けて配光制御する反射板および透過板を備えた棚下用照明器具。
【請求項４】
前記取付部は、こぼれ止めおよびプライスカードレールも選択的に取付けることが可能である請求項３記載の棚下用照明器具。
【発明の詳細な説明】
【０００１】
【発明の属する技術分野】
この発明は、棚下用照明器具に関するものである。
【０００２】
【従来の技術】
従来例の使用状態を図１５に示す。５０は什器支柱、５１は棚板受けブラケット、５２はガラス製棚板、５３は木製棚板、５４は線状コンセント、５５は棚下用照明器具である。
【０００３】
図１６は棚下用照明器具５５による配光Ｑ１、Ｑ２を示している。図１６（ａ）は光源５５ａを棚板５２の前端に配置しているだけで配光を考慮していない。図１６（ｂ）は棚下用照明器具５５の光源５５ａを棚板５２の前方よりやや後方に配置し、配光の主軸を下斜め後方に制御することにより配光パターンＱ２を実現している。
【０００４】
【発明が解決しようとする課題】
しかし、図１６（ａ）の場合棚の内方の明かりが十分でなく、図１６（ｂ）の場合棚の内方は明るいが前側および前面側の明かりが十分でない。
【０００５】
したがって、この発明の目的は、陳列商品の上面を均一照明でき、陳列商品の最前端のトップ面や鉛直面を照明でき、棚板水平面の奥まで照明しつつ棚板水平面の前方をより明るく照明することができる棚下用照明器具を提供することである。
【０００６】
【課題を解決するための手段】
請求項１記載の棚下用照明器具は、棚板下面に取付けられて棚下を照明する棚下用照明器具において、前記棚板の最前端に配置された光源と、前記光源の後方に配置されて前記棚板の最前端の鉛直下方から後方斜め下に向けて配光するように凹曲面に形成された反射板とを備えたものである。
【０００７】
請求項１記載の棚下用照明器具によれば、主たる配光を棚の内方に向けたため、下方の棚板水平面の奥まで照明できるとともに、下方の棚上に陳列される陳列商品の鉛直面前面および最前端トップ面を集中的に照明することができる。
【００１２】
請求項２記載の棚下用照明器具は、棚板下面に取付けられて棚下を照明する棚下用照明器具において、前記棚板の最前端に配置された光源と、前記光源の下方に配置され前記光源の光を透過して前記棚板の最前端の鉛直下方から後方斜め下に向けて配光する透光性のパネルとを備えたものである。
【００１３】
請求項２記載の棚下用照明器具によれば、請求項１と同様な効果がある。
【００１４】
請求項３記載の棚下用照明器具は、棚板下面に取付けられて棚下を照明する棚下用照明器具において、前記棚板の前端側に配置された光源と、前記光源よりも前記棚板の前端側に配置された取付部とを備え、前記取付部に選択的に取付けられて前記棚板の最前端の鉛直下方から後方斜め下に向けて配光制御する反射板および透過板を備えたものである。
【００１５】
請求項３記載の棚下用照明器具によれば、請求項１と同様な効果がある。
【００１６】
請求項４記載の棚下用照明器具は、請求項３において、前記取付部が、こぼれ止めおよびプライスカードレールも選択的に取付けることが可能であるものである。
【００１７】
請求項４記載の棚下用照明器具によれば、請求項３と同様な効果がある。
【００２６】
【発明の実施の形態】
この発明の第１の実施の形態を図１から図３により説明する。１は棚板、２は棚下用照明器具、３はその光源、４は反射板、５は器具本体、６は陳列商品、７は下方の棚である。
【００２７】
この棚下用照明器具は、棚板１の下面の前端位置に取付け、棚板１の最前端に棚板１の最前端鉛直下方から後方斜め下に向けて照射するように、配光制御する反射板４を配置し、光源３を反射板４よりもやや棚板１の後方に配置している。矢印は反射光である。図２は主たる配光の領域を示し、例えば略鉛直下方から略６０度の範囲としている。
【００２８】
この棚照明方法は、棚下用照明器具２を棚１の下面の前縁近傍に、光源３と反射板４からなる光出射部が位置するように設けて、下方の棚すなわち棚下の上面の物品を照明し、主たる配光が棚１の前縁近傍から棚内方へとなるようし、棚下の上面の物品の少なくとも前面、とくに棚下上面の物品の上面前部を主たる配光で照明するものである。
【００２９】
この実施の形態によれば、反射板４により棚板７に配置された陳列商品６の鉛直面（前面）６ｂを、また反射板４と光源３の直接光により最前方トップ面６ａを集中的に照明する。最前方トップ面６ａを照らすことによりアイキャッチ効果を狙うことができる。
【００３０】
陳列商品６としては化粧品、薬、健康食品等立てて陳列するものが適する。また衣料品のボリューム陳列の場合は陳列商品６のフェイス面がほとんど見えないため、商品の前方鉛直面６ｂを照らして、商品をできるだけ正確に見せるとともにアイキャッチ効果を狙うことができる。陳列商品６のフェイス面である鉛直面（前面）６ｂを照らすことにより、商品のブランド、商品名をはっきり認知させることができる。
【００３１】
この発明の第２の実施の形態を図４に示す。棚下用照明器具２取付位置は棚板１の下面前端位置であるが、棚板１の最前端に光源３を配置し、棚板１の最前端の鉛直下方から後方斜め下に向けて照射するように配光制御する、凹曲面に形成した反射板４を光源３よりもやや棚板１の後方に配置している。この実施の形態では光源３と反射板４によりそれぞれトップ面６ａと鉛直面６ｂを照明するが、配光パターンは第１の実施の形態とほぼ同様になる。
【００３２】
この発明の第３の実施の形態を図５に示す。棚下用照明器具２の取付位置は棚板１の下面前端位置であるが、棚板１の最前端に光源３を配置し、光源３の下方に棚板１の最前端の鉛直下方から後方斜め下に向けて配光制御する、透光性のパネル８を配置している。配光パターンは第１の実施の形態とほぼ同様である。
【００３３】
この発明の第４の実施の形態を図６に示す。棚下用照明器具２の取付位置は棚板１の下面前端位置であるが、棚板１の最前端の鉛直下方から後方斜め下に向けて配光制御する光源３、例えばアパーチャ蛍光灯、リフレクタ形ランプ等を棚板１の最前端に配置している。具体的には図５のパネル８を外した状態で上記光源を前寄りの位置に配置している。配光パターンは第１の実施の形態とほぼ同様である。
【００３４】
この発明の第５の実施の形態を図７に示す。棚下用照明器具２の取付位置は棚板１の下面前端位置であるが、光源３として棚板１の最前端に、棚板最前端の鉛直下方から後方斜め下に向けて照射するように配光制御したサイド発光タイプの光ファイバ等を配置している。配光パターンは第１の実施の形態とほぼ同様である。
【００３５】
この発明の第６の実施の形態を図８に示す。棚下用照明器具２の取付位置および棚下用照明器具２の構造は第１の実施の形態と同様であるが、棚下用照明器具の前後取付方向をリバーシブルにしている。
【００３６】
したがって、図８（ａ）に示すように図１と同様な取付け配置では第１の実施の形態と同様な配光が得られ、反射板４により、陳列商品の鉛直面（前面）および前端側トップ面を集中的に照明することができる。また図８（ｂ）に示すように取付方向を前後逆にした場合、図９に示す配光が得られる。すなわち、光源３を棚板１の前端からやや後方に配置し、副たる配光として光源３からの直接光により棚板１の奥まで照らし、主たる配光として反射板４により、棚板１の前面を集中的に照らす。これにより棚板１の水平面の奥まで照らしつつ、なおかつ棚板１の水平面の前端をより明るく照明する。棚下上面の照度が内方が低く、前方が高くなる配光、例えば主たる配光と副たる配光の棚面での照度比が略１．５：１以上であるのが好ましい。このため棚板１の奥までの光で陳列商品をきっちり見せるとともに、棚板１の前端を明るくすることによりアイキャッチ効果、素材感、きらめき感を演出することができる。靴（６）、小物雑貨、食器、化粧品など棚板１にほぼ平行に陳列するものが適する。
【００３７】
なお、第２の実施の形態から第５の実施の形態の棚下用照明器具も前後反転して棚下に取付けることにより、上記の２つの配光を得ることができる。
【００３８】
この発明の第７の実施の形態を図１０に示す。棚下用照明器具の取付位置は第１の実施の形態と同様であるが、棚下用照明器具の構造は第１の実施の形態の光源のほぼ前方に位置した反射板４に代えて、反射板兼遮光板１１であり、かつ可動な構成、例えば器具本体５の前端に軸１２により回動可能に取付けて、図１０（ｂ）に示すような光源３に向く姿勢と、図１０（ａ）に示すような光源３から離れる姿勢とを実現している。
【００３９】
したがって、棚下用照明器具の前後取付方向をリバーシブルにすることにより、図１０（ｂ）、（ｃ）のように第６の実施の形態と同様な２つの配光パターンを実現できるとともに、反射板兼遮光板１２が可動であることにより、図１０（ａ）および図１１に示す配光パターンも実現している。すなわち光源３を棚板１の前端からやや後方に配置し、反射板兼遮光板１０を可動させ、光源３から離れる方向に棚板１に沿う状態まで回動することにより、光源３からの直接光により棚板１の奥まで照明する。
【００４０】
この図１１の配光パターンは、棚板１の水平面に均一な照度分布であり、なおかつ什器奥の壁面１３にも均一な照度分布となる。什器奥壁面１３を照明することによりアイキャッチ効果および棚板１の表面への均一な照度分布で陳列商品６を正確に見せることができる。陳列商品６は衣料品（フォールテット陳列）、陳列商品６のフェイス面６ａが棚板１の水平面とほぼ平行に陳列するものなどが好適であり、陳列商品６にあった配光が可能になる。
【００４１】
この発明の第８の実施の形態を図１２に示す。棚下用照明器具の取付位置は第１の実施の形態と同様であるが、棚下用照明器具の構造は第１の実施の形態の光源３の前方の反射板４が着脱自在になっている。すなわち、図１２（ａ）、（ｂ）に示すように棚下用照明器具２の前後取付方向をリバーシブルにすることにより、第６の実施の形態と同様な２つの配光パターンを得る。また反射板４の取付部１７は窓状に構成し、反射板４を取付け取外し可能にしており、反射板４の代わりに透過性のある材料の板１５を取付部１７に装着することにより、透過光Ｑにより棚板１の前面を光らせ、アイキャッチ効果を高めることができる。
【００４２】
この発明の第９の実施の形態を図１３および図１４に示す。棚下用照明器具２の取付位置は第１の実施の形態とほぼ同様であるが、棚下用照明器具２の構造は第１の実施の形態の光源３の前方の反射板４を着脱自在に取付ける取付部１９を器具本体５に設けている。すなわち、棚下用照明器具２の前後取付方向をリバーシブルにすることにより、図１３（ｂ）、（ｃ）に示すように第６の実施の形態と同様な２つの配光パターンを得る。また反射板４または反射板兼遮光板１０を取外し可能に構成することにより、その他の効果も実現する。反射板取付部１９は軸方向にスリットのある角筒状に形成している。
【００４３】
図１３（ａ）は棚下用照明器具２を光源３が後向きとなる姿勢で取付けられ、反射板４は外された状態であり、図１０（ａ）および図１１と同様な配光を得る。
【００４４】
図１３（ｂ）は棚下用照明器具２を光源３が前向きとなる姿勢で取付けられ、反射板４または反射板兼遮光板１０が装着された状態であり、上記したように図１０（ｂ）と同様な配光を得る。この場合、反射板４は一側部に取付部１９にその軸方向に差し込み可能な断面角形の突条部２１を有し、取付部１９のスリットを反射板４が貫通している。
【００４５】
図１３（ｃ）は図１３（ｂ）において、棚下用照明器具２を光源３が後向きとなる姿勢で取付けた状態であり、図１０（ｃ）と同様な配光を得る。
【００４６】
図１４（ａ）は棚下用照明器具２を光源３が前向きとなる姿勢で取付け、反射板４に代えて透過性のある材料、例えば透過板１５を取付けて棚板１の前面を光らせる図１２（ｃ）と同様な配光を得る。
【００４７】
図１４（ｂ）は棚下用照明器具２を光源３が前向きとなる姿勢で、取付部１９が棚板１の最前端に位置するように取付け、取付部１９に他の部材、例えばこぼれ止め２３を装着する部材であるビニングフロント２４に設けた突条部２１を取付け、反射板４の代わりに什器棚板１のフロントに付加機能をもたせている。
【００４８】
図１４（ｃ）は取付部１９に他の部材、例えばプライスカードレール２５の突条部２１を取付け、プライスカードを装着している。
【００４９】
【発明の効果】
請求項１記載の棚下用照明器具によれば、主たる配光を棚の内方に向けたため、下方の棚板水平面の奥まで照明できるとともに、下方の棚上に陳列される陳列商品の鉛直面前面および最前端トップ面を集中的に照明することができる。
【００５２】
請求項２記載の棚下用照明器具によれば、請求項１と同様な効果がある。
【００５３】
請求項３記載の棚下用照明器具によれば、請求項１と同様な効果がある。
【００５４】
請求項４記載の棚下用照明器具によれば、請求項３と同様な効果がある。
【図面の簡単な説明】
【図１】この発明の第１の実施の形態の断面図である。
【図２】主たる配光の説明図である。
【図３】主たる配光と陳列商品のトップ面および鉛直面との関係を示す説明図である。
【図４】第２の実施の形態の断面図である。
【図５】第３の実施の形態の断面図である。
【図６】第４の実施の形態の断面図である。
【図７】第５の実施の形態の断面図である。
【図８】第６の実施の形態を示し、（ａ）は光源が前側となるように取付けられた断面図、（ｂ）は光源が後側となるように取付けられた断面図である。
【図９】図８（ｂ）の配光を説明する説明図である。
【図１０】第７の実施の形態を示し、（ａ）は光源が後側となるように取付けられ反射板兼遮光板を開いた状態の断面図、（ｂ）は光源が前側となるように取付けられ反射板を光源のほぼ前方に設けた断面図、（ｃ）は光源が後側となるように取付けられた断面図である。
【図１１】陳列商品に対する配光を説明する説明図である。
【図１２】第８の実施の形態を示し、（ａ）は光源が前側となるように取付けられた断面図、（ｂ）は光源が後側となるように取付けられた断面図、（ｃ）は反射板に代えて透過性の材料が取付けられた状態の断面図である。
【図１３】第９の実施の形態を示し、（ａ）は光源が後側となるように取付けられ反射板が外された状態の断面図、（ｂ）は光源が前側となるように取付けられ反射板兼遮光板が取付けられた状態の断面図、（ｃ）は（ａ）において反射板兼遮光板が取付けられた状態の断面図である。
【図１４】第９の実施の形態において、（ａ）は光源が前側となるように取付けられ反射板に代えて取付部に透過板が装着された状態の断面図、（ｂ）は光源が前側となるように取付けられ取付部にこぼれ止めが取付けられた状態の断面図、（ｃ）は取付部にプライスカードレールが取付けられた状態の断面図である。
【図１５】陳列棚の構成を示す概略斜視図である。
【図１６】その棚下用照明器具の配光を説明する説明図である。
【符号の説明】
１    棚板
２    棚下用照明器具
３    光源
４    反射板
５    器具本体
６    陳列商品
６ａ    トップ面
６ｂ    鉛直面
７    下方の棚
８    パネル
１０    反射板兼遮光板
１５    透過板
１９    取付部
【図１】
0004524949.tif 000002
【図２】
0004524949.tif 000003
【図３】
0004524949.tif 000004
【図４】
0004524949.tif 000005
【図５】
0004524949.tif 000006
【図６】
0004524949.tif 000007
【図７】
0004524949.tif 000008
【図８】
0004524949.tif 000009
【図９】
0004524949.tif 000010
【図１０】
0004524949.tif 000011
【図１１】
0004524949.tif 000012
【図１２】
0004524949.tif 000013
【図１３】
0004524949.tif 000014
【図１４】
0004524949.tif 000015
【図１５】
0004524949.tif 000016
【図１６】
0004524949.tif 000017